(57)【要約】【課題】浅層に存在する汚染土壌を低コストで、しかも高い施工効率で浄化可能な生石灰混合による汚染土壌の浄化方法および装置を提供する。【解決手段】揮発性有機化合物で汚染された汚染土壌２を浄化する方法であって、表層の汚染土壌２と生石灰４とを表層混合機１６の混合機構１２で混合し、この際に生じる水和熱によって汚染土壌２から揮発する揮発性有機化合物ガスの揮散を、混合機構１２を覆う防塵カバー１４で防ぐとともに、この防塵カバー１４の内側のガスを吸引して活性炭に吸着させるようにした。【選択図】図１
2012055800.tif 000002
【特許請求の範囲】
【請求項１】
揮発性有機化合物で汚染された汚染土壌を浄化する方法であって、
表層の汚染土壌と生石灰とを表層混合機の混合機構で混合し、この際に生じる水和熱によって前記汚染土壌から揮発する揮発性有機化合物ガスの揮散を、前記混合機構を覆う防塵カバーで防ぐとともに、この防塵カバーの内側の前記ガスを吸引して活性炭に吸着させることを特徴とする汚染土壌の浄化方法。
【請求項２】
前記混合機構による混合が完了した土壌区域の上面を気密シートで被覆し、このシートの下面側から揮発性有機化合物ガスを吸引して活性炭に吸着させることを特徴とする請求項１に記載の汚染土壌の浄化方法。
【請求項３】
前記混合機構による混合が完了した土壌区域内に設けた配管を通じて前記ガスを吸引することを特徴とする請求項１または２に記載の汚染土壌の浄化方法。
【請求項４】
揮発性有機化合物で汚染された汚染土壌を浄化する装置であって、
表層の汚染土壌と生石灰とを混合するための混合機構と、この混合機構を覆うとともに、前記混合の際に生じる水和熱によって前記汚染土壌から揮発する揮発性有機化合物ガスの揮散を防ぐ防塵カバーとを備える表層混合機と、
前記防塵カバーの内側に溜まる前記ガスを吸引して活性炭に吸着させるガス回収手段とを備えることを特徴とする汚染土壌の浄化装置。
【請求項５】
前記混合機構による混合が完了した土壌区域の上面に被覆される気密シートと、
前記シートの下面側に溜まる前記ガスを吸引して活性炭に吸着させるガス回収手段とを備えることを特徴とする請求項４に記載の汚染土壌の浄化装置。
【請求項６】
前記混合機構による混合が完了した土壌区域内に、前記ガスを吸引するための配管を設けたことを特徴とする請求項４または５に記載の汚染土壌の浄化装置。
【発明の詳細な説明】
【技術分野】
【０００１】
本発明は、汚染土壌の浄化方法および装置に関し、特に、揮発性有機化合物に汚染された浅層部の汚染土壌を、生石灰を用いて原位置で浄化する汚染土壌の浄化方法および装置に関するものである。
【背景技術】
【０００２】
従来、揮発性有機化合物などに汚染された汚染土壌を、生石灰を用いて浄化する方法が知られており（例えば、特許文献１〜６参照）、いくつか実用化されている。
【０００３】
例えば、特許文献５のような浄化方法は、汚染土壌を掘削した後、バックホウ、土質改良機といった混合機でこの土壌と生石灰とを混合し、この過程で生じる水和熱を利用して土壌中の揮発性有機化合物を揮発させる方法である。しかし、この方法は、掘削を伴うこと、揮発性有機化合物の揮散防止のためのテント設備および発生するガスの吸引装置や活性炭吸着装置が必要であることにより、高コストとなることが懸念される。
【０００４】
また、特許文献６のような浄化方法は、深層混合機等により原位置で土壌と生石灰等の浄化剤とを混合し、水和熱を利用して土壌中の揮発性有機化合物を揮発させる方法である。その際に発生するガスは吸引し、活性炭などに吸着させ除去する。この方法は、対象深度が地表面からの深さ１ｍ（ＧＬ−１ｍ）を超える場合でも適用可能であるが、１ロットで混合できる面積が０．７５ｍ２〜２ｍ２程度と小さいため、対象深度がＧＬ−１ｍ程度以浅の浅層の場合には施工効率が悪いといった問題が懸念される。
【先行技術文献】
【特許文献】
【０００５】
【特許文献１】特開２００４−４２００４号公報
【特許文献２】特開２００４−４２０１１号公報
【特許文献３】特開２００２−５２３７７号公報
【特許文献４】特許第２５８９００２号公報
【特許文献５】特開２００２−７９２３２号公報
【特許文献６】特開２００５−１６４２７９号公報
【発明の概要】
【発明が解決しようとする課題】
【０００６】
このため、テント等のガス回収設備が必要なく低コストであり、ＧＬ−１ｍ程度以浅の比較的浅層に存在する汚染土壌を高い施工効率で浄化可能な生石灰混合による土壌浄化技術の開発が望まれていた。
【０００７】
本発明は、上記に鑑みてなされたものであって、浅層に存在する汚染土壌を低コストで、しかも高い施工効率で浄化可能な生石灰混合による汚染土壌の浄化方法および装置を提供することを目的とする。
【課題を解決するための手段】
【０００８】
上記した課題を解決し、目的を達成するために、本発明の請求項１に係る汚染土壌の浄化方法は、揮発性有機化合物で汚染された汚染土壌を浄化する方法であって、表層の汚染土壌と生石灰とを表層混合機の混合機構で混合し、この際に生じる水和熱によって前記汚染土壌から揮発する揮発性有機化合物ガスの揮散を、前記混合機構を覆う防塵カバーで防ぐとともに、この防塵カバーの内側の前記ガスを吸引して活性炭に吸着させることを特徴とする。
【０００９】
また、本発明の請求項２に係る汚染土壌の浄化方法は、上述した請求項１において、前記混合機構による混合が完了した土壌区域の上面を気密シートで被覆し、このシートの下面側から揮発性有機化合物ガスを吸引して活性炭に吸着させることを特徴とする。
【００１０】
また、本発明の請求項３に係る汚染土壌の浄化方法は、上述した請求項１または２において、前記混合機構による混合が完了した土壌区域内に設けた配管を通じて前記ガスを吸引することを特徴とする。
【００１１】
また、本発明の請求項４に係る汚染土壌の浄化装置は、揮発性有機化合物で汚染された汚染土壌を浄化する装置であって、表層の汚染土壌と生石灰とを混合するための混合機構と、この混合機構を覆うとともに、前記混合の際に生じる水和熱によって前記汚染土壌から揮発する揮発性有機化合物ガスの揮散を防ぐ防塵カバーとを備える表層混合機と、前記防塵カバーの内側に溜まる前記ガスを吸引して活性炭に吸着させるガス回収手段とを備えることを特徴とする。
【００１２】
また、本発明の請求項５に係る汚染土壌の浄化装置は、上述した請求項４において、前記混合機構による混合が完了した土壌区域の上面に被覆される気密シートと、前記シートの下面側に溜まる前記ガスを吸引して活性炭に吸着させるガス回収手段とを備えることを特徴とする。
【００１３】
また、本発明の請求項６に係る汚染土壌の浄化装置は、上述した請求項４または５において、前記混合機構による混合が完了した土壌区域内に、前記ガスを吸引するための配管を設けたことを特徴とする。
【発明の効果】
【００１４】
本発明によれば、揮発性有機化合物で汚染された汚染土壌を浄化する方法であって、表層の汚染土壌と生石灰とを表層混合機の混合機構で混合し、この際に生じる水和熱によって前記汚染土壌から揮発する揮発性有機化合物ガスの揮散を、前記混合機構を覆う防塵カバーで防ぐとともに、この防塵カバーの内側の前記ガスを吸引して活性炭に吸着させるので、表層（浅層）に存在する揮発性有機化合物汚染土壌を、テント等の設備を要することなく低コストで浄化することができる。また、混合機として表層混合機を用いることにより、従来の深層混合機を用いる場合と比較して高い施工効率で、表層（浅層）に存在する汚染土壌を生石灰混合により浄化することができるという効果を奏する。
【図面の簡単な説明】
【００１５】
【図１】図１は、本発明に係る汚染土壌の浄化装置の実施例を示す側断面図である。
【図２】図２は、本発明に係る汚染土壌の浄化装置の実施例を示す平面図である。
【図３】図３は、本発明に用いる表層混合機の一例を示す図である。
【発明を実施するための形態】
【００１６】
以下に、本発明に係る汚染土壌の浄化方法および装置の実施の形態を図面に基づいて詳細に説明する。なお、この実施例によりこの発明が限定されるものではない。
【００１７】
本発明に係る汚染土壌の浄化方法は、揮発性有機化合物で汚染された汚染土壌を浄化する方法であって、表層の汚染土壌と生石灰とを表層混合機の混合機構で混合し、この際に生じる水和熱によって汚染土壌から揮発する揮発性有機化合物ガスの揮散を、混合機構を覆う防塵カバーで防ぐとともに、この防塵カバーの内側のガスを吸引して活性炭に吸着させるものである。
【００１８】
図１〜図３に示すように、本発明に係る汚染土壌の浄化装置１０は、揮発性有機化合物で汚染された汚染土壌２を原位置で浄化する装置であって、この汚染土壌２の地表面ＧＬ上に配置した表層混合機１６により構成される。
【００１９】
表層混合機１６は、表層の汚染土壌２と生石灰４とを混合するための混合機構１２と、この混合機構１２を覆う防塵カバー１４とを備える。この防塵カバー１４は、汚染土壌２と生石灰４の混合の際に生じる水和熱で汚染土壌２中から揮発する揮発性有機化合物ガスの揮散を防ぐ気密性のものである。
【００２０】
また、この浄化装置１０は、混合機構１２による混合済みエリアＡ（混合が完了した土壌区域）の上面に被覆される気密シート１８と、防塵カバー１４の内側に溜まるガスおよびシート１８の下面側に溜まるガスを吸引するガス吸引装置２０、２２（ガス回収手段）と、活性炭に吸着させる活性炭吸着装置２４、２６（ガス回収手段）とを備える。
【００２１】
混合済みエリアＡ内には、内部で発生したガスを吸引するための鉛直配管３０が複数設けてあり、配管２８にそれぞれ接続している。シート１８の下面側の混合済みエリアＡ内に溜まるガスは、鉛直配管３０と配管２８を通じてガス吸引装置２２に吸引されるようになっている。
【００２２】
上記構成の動作および作用について説明する。
表層混合機１６は、混合機構１２を駆動してＧＬ−１ｍ程度以浅の比較的浅層に存在する汚染土壌２と生石灰４とを混合しながら、地表面ＧＬ上を進行方向Ｄに向けて移動する。この混合の際に生じる水和熱により汚染土壌２中の揮発性有機化合物がガスとなって揮発する。このガスは混合機構１２を覆う防塵カバー１４内に封じ込められる。
【００２３】
防塵カバー１４内に溜まったガスは、ガス吸引装置２０により吸引され、活性炭吸着装置２４に送られて活性炭吸着処理される。このため、汚染土壌２と生石灰４の混合部分からの揮発性有機化合物の揮散を防止することができる。
【００２４】
一方、混合済みエリアＡにおいてシート１８の下面側に溜まったガスは、鉛直配管３０および配管２８を通じてガス吸引装置２２により吸引され、活性炭吸着装置２６に送られて活性炭吸着処理される。このシート養生およびガス吸引の作用により、混合済みエリアＡからの揮発性有機化合物の揮散を防止でき、さらに浄化を促進することができる。
【００２５】
このように、本発明に係る汚染土壌の浄化方法および装置によれば、表層混合機１６に備わる防塵カバー１４によって揮散養生を施し、防塵カバー１４内部に溜まるガスを吸引し、活性炭吸着させることにより、汚染土壌２と生石灰４の混合部分からの揮発性有機化合物の揮散を防止することができる。また、混合済みエリアＡは、シート養生およびガス吸引の作用により、揮発性有機化合物の揮散を防止でき、さらに浄化を促進することができる。
【００２６】
また、本発明に係る汚染土壌の浄化方法および装置は、テント等の大掛かりな設備を必要としないため、低コストでＧＬ−１ｍ程度以浅の比較的浅層に存在する汚染土壌２を浄化することができる。また、混合機として表層混合機１６を用いることにより、従来の深層混合機を用いる場合と比較して高い施工効率で、比較的浅層に存在する汚染土壌２を生石灰混合により浄化することができる。
【００２７】
以上説明したように、本発明によれば、揮発性有機化合物で汚染された汚染土壌を浄化する方法であって、表層の汚染土壌と生石灰とを表層混合機の混合機構で混合し、この際に生じる水和熱によって前記汚染土壌から揮発する揮発性有機化合物ガスの揮散を、前記混合機構を覆う防塵カバーで防ぐとともに、この防塵カバーの内側の前記ガスを吸引して活性炭に吸着させるので、表層（浅層）に存在する揮発性有機化合物汚染土壌を、テント等の設備を要することなく低コストで浄化することができる。また、混合機として表層混合機を用いることにより、従来の深層混合機を用いる場合と比較して高い施工効率で、表層（浅層）に存在する汚染土壌を生石灰混合により浄化することができる。
【産業上の利用可能性】
【００２８】
以上のように、本発明に係る汚染土壌の浄化方法および装置は、揮発性有機化合物に汚染された浅層部の汚染土壌を、生石灰を用いて原位置で浄化するのに有用であり、特に、低コストで、しかも高い施工効率で浄化するのに適している。
【符号の説明】
【００２９】
２  汚染土壌
４  生石灰
１０  汚染土壌の浄化装置
１２  混合機構
１４  防塵カバー
１６  表層混合機
１８  シート
２０，２２  ガス吸引装置（ガス回収手段）
２４，２６  活性炭吸着装置（ガス回収手段）
２８  配管
３０  鉛直配管
Ａ  混合済みエリア（混合が完了した土壌区域）
Ｄ  表層混合機の進行方向
ＧＬ  地表面
【図１】
2012055800.tif 000003
【図２】
2012055800.tif 000004
【図３】
2012055800.tif 000005